(57)【要約】【課題】演奏曲の再生制限に際して利用者に精神的なストレスを与えない音楽再生装置を提供する。【解決手段】演奏曲の出力が許容される予め設定された有効期間を表す有効期間情報を記憶するハードディスク３２と、選択入力された所定の演奏曲が有効期間外であるか否かを有効期間情報に基づいて判定する有効期間判定手段５２（ＳＡ４及びＳＡ６）と、演奏曲が有効期間外であると判定された場合には、有効期間情報に基づく告知情報を表示する告知情報表示手段５６（ＳＡ７及びＳＡ８）と、演奏曲が有効期間外であると判定された場合には、その演奏曲の出力を禁止する出力禁止手段５４（ＳＡ９）とを、含むことから、告知情報により再生制限に関する情報を利用者に知らせることができる。【選択図】  図８
2004252210.tif 000002
【特許請求の範囲】
【請求項１】
複数の演奏曲のうちから選択入力された所望の演奏曲を出力させる音楽再生装置であって、
該演奏曲の出力が許容される予め設定された有効期間を表す有効期間情報を記憶する記憶手段と、
選択入力された所定の演奏曲が前記有効期間外であるか否かを前記記憶手段に記憶された有効期間情報に基づいて判定する有効期間判定手段と、
該有効期間判定手段により前記演奏曲が前記有効期間外であると判定された場合には、前記記憶手段に記憶された有効期間情報に基づく告知情報を表示する告知情報表示手段と、
前記有効期間判定手段により前記演奏曲が前記有効期間外であると判定された場合には、該演奏曲の出力を禁止する出力禁止手段と
を、含むことを特徴とする音楽再生装置。
【請求項２】
前記有効期間情報は、前記有効期間の開始年月日を定める有効開始日と、該有効期間の終了年月日を定める有効終了日と、該有効期間に関する備考とを、含むものであり、前記告知情報表示手段は、前記有効開始日、有効終了日、及び備考のうち少なくとも１つを含む告知情報を表示するものである請求項１の音楽再生装置。
【請求項３】
前記有効期間情報は、前記演奏曲の内容である音楽情報及び歌詞情報と共に該演奏曲の曲情報に含まれるものである請求項１又は２の音楽再生装置。
【発明の詳細な説明】
【０００１】
【発明の属する技術分野】
本発明は、例えば、カラオケボックスで使用されるカラオケ装置等の音楽再生装置に関し、特に、演奏曲の再生制限機能に関する。
【０００２】
【従来の技術】
所定の記憶装置に予め記憶された複数の演奏曲のうちから選択入力された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報をその出力に同期して画面に表示させることで、所望の歌のカラオケ演奏を楽しむことができる。そうしたカラオケ装置の一態様として、所定のホストサーバから定期的に配信される演奏曲を記憶し、必要に応じて出力させる通信カラオケ端末が普及している。この通信カラオケ端末によれば、常に最新の演奏曲をカラオケ演奏に提供することができる。
【０００３】
ところで、近年においては、新しい歌がＣＤ等の商品として発売される前にテレビドラマの主題歌やＣＭソングとして認知されたり、ラジオ放送により親しまれたりする例が多い。そのように広く知られた歌にはカラオケ演奏曲としての需要が生じるが、通常、上記カラオケ装置によるカラオケ演奏曲としての提供は、その歌の商品としての発売を待って開始される。その一方で、上述した配信の都合上、商品としては未だ発売されていない演奏曲が上記カラオケ装置に記憶されることが往々にしてある。このような場合に、出力されるべきでない演奏曲の再生を制限できる通信カラオケ端末が、特許文献１に開示されている。
【０００４】
【特許文献１】
特開平１１−２７２７６２号公報
【０００５】
【発明が解決しようとする課題】
従来、前述した再生制限機能を有するカラオケ装置では、出力されるべきでない演奏曲の選曲番号が入力された場合、誤った選曲番号が入力されたときと同様にフロント操作パネルやリモコンの表示部にその選曲番号を点滅表示させることで演奏不可能であることを知らせていた。しかし、斯かる漠然とした知らせでは、そもそもその歌がカラオケ演奏曲として存在しないのか、存在はしているのだが演奏できないだけなのか判然とせず、利用者に精神的なストレスを与えるものであった。
【０００６】
本発明は、以上の事情を背景として為されたものであり、その目的とするところは、演奏曲の再生制限に際して利用者に精神的なストレスを与えない音楽再生装置を提供することにある。
【０００７】
【課題を解決するための手段】
斯かる目的を達成するために、本発明の要旨とするところは、複数の演奏曲のうちから選択入力された所望の演奏曲を出力させる音楽再生装置であって、その演奏曲の出力が許容される予め設定された有効期間を表す有効期間情報を記憶する記憶手段と、選択入力された所定の演奏曲が前記有効期間外であるか否かを前記記憶手段に記憶された有効期間情報に基づいて判定する有効期間判定手段と、その有効期間判定手段により前記演奏曲が前記有効期間外であると判定された場合には、前記記憶手段に記憶された有効期間情報に基づく告知情報を表示する告知情報表示手段と、前記有効期間判定手段により前記演奏曲が前記有効期間外であると判定された場合には、その演奏曲の出力を禁止する出力禁止手段とを、含むことを特徴とするものである。
【０００８】
【発明の効果】
このようにすれば、前記演奏曲の出力が許容される予め設定された有効期間を表す有効期間情報を記憶する記憶手段と、選択入力された所定の演奏曲が前記有効期間外であるか否かを前記記憶手段に記憶された有効期間情報に基づいて判定する有効期間判定手段と、その有効期間判定手段により前記演奏曲が前記有効期間外であると判定された場合には、前記記憶手段に記憶された有効期間情報に基づく告知情報を表示する告知情報表示手段と、前記有効期間判定手段により前記演奏曲が前記有効期間外であると判定された場合には、その演奏曲の出力を禁止する出力禁止手段とを、含むことから、前記告知情報により再生制限に関する情報を利用者に知らせることができ、その再生制限に際して利用者に精神的なストレスを与えない音楽再生装置を提供することができる。
【０００９】
【発明の他の態様】
ここで、好適には、前記有効期間情報は、前記有効期間の開始年月日を定める有効開始日と、その有効期間の終了年月日を定める有効終了日と、その有効期間に関する備考とを、含むものであり、前記告知情報表示手段は、前記有効開始日、有効終了日、及び備考のうち少なくとも１つを含む告知情報を表示するものである。このようにすれば、前記告知情報により再生制限に関する更に詳しい情報を利用者に知らせることができるという利点がある。また、前記有効開始日以前である場合に、前記告知情報によりその有効開始日を告知することで利用者に期待の念を抱かせることができ、前記音楽再生装置の利用拡大に繋がるという利点がある。
【００１０】
また、好適には、前記有効期間情報は、前記演奏曲の内容である音楽情報及び歌詞情報と共にその演奏曲の曲情報に含まれるものである。このようにすれば、前記演奏曲の出力に際して前記有効期間情報が漏れなく読み出されることで、前記有効期間外である演奏曲の出力を更に確実に禁止できるという利点がある。
【００１１】
また、好適には、前記有効期間情報が前記記憶装置に記憶されているか否かを判定する有効期間情報有無判定手段を含み、その有効期間情報有無判定手段により前記記憶装置に有効期間情報が存在しないと判定された場合には、前記出力禁止手段によりその演奏曲の出力を禁止するものである。このようにすれば、前記有効期間情報が前記演奏曲の曲情報に含まれない場合において、有効期間外の演奏曲が誤って演奏されるのを防止できるという利点がある。特に、前記有効期間情報が前記曲情報とは別に所定のホストサーバから配信されて記憶される態様において有効である。
【００１２】
【実施例】
以下、本発明の好適な実施例を図面に基づいて詳細に説明する。
【００１３】
図１は、本発明が適用された音楽再生装置の一例であるカラオケ装置１０の構成を示すブロック線図である。この図１に示すように、斯かるカラオケ装置１０は、ＣＲＴ等の画像表示装置１２と、背景映像再生用のディスクプレーヤ１４と、ビデオミキサ１６と、アンプミキサ１８と、スピーカ２０と、マイク２２と、操作パネル２４と、中央演算処理装置であるＣＰＵ２６、ＲＯＭ２８、ＲＡＭ３０、記憶手段としてのハードディスク３２、ターミナルアダプタ３４、ＣＲＴコントローラ３６、上記操作パネル２４からの入力信号を処理する入出力インターフェイス３８、音楽情報を変換して出力するためのシンセサイザ４０、及びＡ／Ｄコンバータ４２とを、備えて構成されている。
【００１４】
上記中央演算処理装置２６は、上記ＲＯＭ２８に記憶された所定のプログラムに基づいて電子情報を処理・制御する所謂コンピュータであり、ユーザ（カラオケ装置１０の利用者）により所定のカラオケ演奏曲を選択する入力操作が行われた場合、上記ハードディスク３２からＲＡＭ３０へ選曲されたカラオケ演奏曲の音楽情報及び歌詞情報を読み出したり、カラオケ演奏曲の演奏が進行するのに応じてそのＲＡＭ３０から上記シンセサイザ４０へ音楽情報を送信したり、歌詞情報に基づいて歌詞文字映像を生成して上記ＣＲＴコントローラ３６へ送ったり、選曲時には曲情報に基づいて曲名文字映像を上記ＣＲＴコントローラ３６へ送ったり、上記ディスクプレーヤ１４の作動を制御する等の基本的な制御を実行する。
【００１５】
前記操作パネル２４は、ユーザが歌いたいカラオケ演奏曲を選択したり、演奏音の音程を調整したり、演奏と歌との音量バランスを調整したり、その他、エコー、音量、トーン等の各種調整を行うための操作釦（スイッチ）或いはツマミを備えており、後述する選曲情報入力手段５０として機能する。また、前記カラオケ装置１０には、前記操作パネル２４の一部機能を遠隔で実行するために、この操作パネル２４と同様に選曲情報入力手段５０として機能するリモコン４４が備えられている。
【００１６】
前記ディスクプレーヤ１４は、背景映像を記憶したＣＤやＤＶＤを備え、必要に応じてそれらを再生するものであり、前記ビデオミキサ１６は、前記ハードディスク３２から読み出された歌詞情報に基づいて前記中央演算処理装置２６において生成され且つ前記ＣＲＴコントローラ３６から出力される歌詞文字映像と、前記ディスクプレーヤ１４から送られるＮＴＳＣ映像とを合成して前記画像表示装置１２に表示させる映像合成装置である。なお、前記ディスクプレーヤー１４から送られるＮＴＳＣ映像とは、ユーザが歌詞を参照しながら歌を歌う際に前記画像表示装置１２に表示される背景映像である。
【００１７】
前記シンセサイザ４０は、前記ハードディスク３２から読み出されて送られて来る演奏曲の音楽情報である例えばＭＩＤＩ（Ｍｕｓｉｃａｌ  Ｉｎｓｔｒｕｍｅｎｔ  Ｄｉｇｉｔａｌ  Ｉｎｔｅｒｆａｃｅ）データに基づき、楽器の演奏信号等の音楽信号を生成するＭＩＤＩ音源である。このシンセサイザ４０により生成された音楽信号は、前記アンプミキサ１８に送られ、そのアンプミキサ１８において送られてきた音楽信号（アナログ信号）と前記マイク２２を介して入力されるユーザの歌声信号とがミキシングされ、それらの信号が電気的に増幅される。そして、そのミキシングされた音が前記スピーカ２０から出力される。
【００１８】
図２は、前記リモコン４４の操作部を説明する図である。この図２に示すように、斯かるリモコン４４の操作部には、０から９までの数字等を入力するための数字釦４４ａ、選曲釦４４ｂ、左右上下の矢印釦４４ｃ、及び取消釦４４ｄが設けられている。また、操作補助・確認のための表示部４４ｅが設けられている。上記数字釦４４ａは、前記選曲情報としての選曲番号等を入力するための釦（スイッチ）であり、その数字釦４４ａが押されると、その数字が上記表示部４４ｅに表示され、上記選曲釦４４ｂが押されることによりその数字が出力されて選曲番号が確定する。左右上下の矢印釦４４ｃは、前記画像表示器１２に選択肢が表示された際、同様に表示されるカーソル等を左右上下に移動させるための釦であり、その矢印釦４４ｃが操作されるとカーソル移動信号が出力されて、上記選曲釦４４ｂが押されることにより選択している項目が確定する。また、前記カラオケ装置１０によるカラオケ演奏中に左右の矢印釦４４ｃが操作されると、演奏音の音程を変更するための音程変更信号が出力される。以上の操作は、前記操作パネル２４によっても同様に実行が可能である。
【００１９】
前記ハードディスク３２には、カラオケ演奏曲毎に曲情報すなわちヘッダー情報、音楽情報、及び歌詞情報等を格納する曲データベースが設けられている。図３は、斯かる曲データベースの内容を説明する図である。ヘッダー情報は、演奏曲を識別するための選曲番号と、その演奏曲の出力が許容される予め設定された有効期間を表す有効期間情報とから成る。すなわち、図３に示す曲データベースは、有効期間データベース（演奏許可テーブル）を含むものである。音楽情報は、ＭＩＤＩ形式等による圧縮データとして格納されており、カラオケ演奏に際して前記シンセサイザ４０へ供給される。歌詞情報は、所定の文字データ等として格納されており、カラオケ演奏に際してその文字データに基づき前記中央演算処理装置２６において歌詞文字映像が生成されて前記ＣＲＴコントローラ３６へ供給される。
【００２０】
上記ヘッダー情報内の有効期間情報（有効期間データ）は、前記有効期間の開始年月日を定める有効開始日と、その有効期間の終了年月日を定める有効終了日と、その有効期間に関する備考情報とから成る。有効開始日以前及び有効終了日以降は、所定の理由で演奏曲の出力が許容されない期間であり、後述する出力禁止手段５４によりその演奏曲の出力すなわちカラオケ演奏曲としての再生が禁止される。備考項目には、有効開始日に関して「……（有効開始日）から歌えます」等、有効終了日に関して「……（有効終了日）をもって歌えなくなりました」等、有効期間を限定する理由である「……著作者の意向により歌えなくなりました」等の補足説明が記憶される。また、前記カラオケ装置１０がアーティスト志望者から歌唱データを募集するために用いられ、そのオーディションが既に締め切られている場合には、「オーディション期間は（有効開始日）から（有効終了日）までです」等の説明が記憶される。なお、有効開始日や有効終了日の項目がブランクとされている演奏曲があるが、このブランクは特に有効期間が定められていないことを意味する。
【００２１】
前記ターミナルアダプタ３４は、前記中央演算処理装置２６を公衆電話回線、有線放送用ケーブル、又は光ファイバ等による通信回線４６に接続するための装置であり、複数のカラオケボックスにそれぞれ備えられた前記カラオケ装置１０は、この通信回線４６を介して例えばカラオケサービス提供会社のホスト装置であるホストサーバ４７に接続されている。そして、前記カラオケ装置１０によって常に新しい曲を演奏可能とするために、定期的に新曲の曲情報等がそのホストサーバ４７から上記通信回線４６を介してダウンロードされ、前記ハードディスク３２の曲データベース等に格納される。
【００２２】
図４は、前記カラオケ装置１０に備えられた中央演算処理装置２６の演奏制限機能の要部を説明する機能ブロック線図である。この図４に示す選曲情報入力手段５０は、前記操作パネル２４及びリモコン４４に対応するものであり、前記ハードディスク３２の曲データベースに格納された複数の演奏曲のうちから所望の演奏曲を選択するためにその選曲番号（選曲情報）を入力する。
【００２３】
有効期間判定手段５２は、選択入力された所定の演奏曲が前記有効期間外であるか否かを記憶手段である前記ハードディスク３２の有効期間データベースに格納された有効期間情報に基づいて判定する。すなわち、上記選曲情報入力手段５０により所定の演奏曲の選曲番号が入力された際に、その選曲番号と一対一で前記有効期間データベースに格納された有効開始日及び有効終了日を読み出して入力時点の日付と比較し、その日付が有効開始日以前であるか否かを判定する。そして、その判定が否定される場合には、更に上記日付が有効終了日以降であるか否かを判定する。なお、有効開始日がブランクである場合における上記日付が有効開始日以前であるか否かの判定、有効終了日がブランクである場合の上記日付が有効終了日以降であるか否かの判定は、何れも否定する。
【００２４】
出力禁止手段５４は、上記有効期間判定手段５２により前記演奏曲が前記有効期間外であると判定された場合には、その演奏曲の出力を禁止する。すなわち、上記有効期間判定手段５２により上記日付が有効開始日以前であると判定された場合、又は有効開始日以降であると判定された場合には、その演奏曲の出力を禁止し、前記曲データベースから音楽情報を読み出して前記シンセサイザ４０に送る等の演奏制御を実行しない。
【００２５】
告知情報表示手段５６は、前記有効期間判定手段５２により前記演奏曲が前記有効期間外であると判定された場合には、前記ハードディスク３２の有効期間データベースに格納された有効期間情報に基づく告知情報を表示する。すなわち、前記有効期間判定手段５２により前記日付が有効開始日以前であると判定された場合、又は有効開始日以降であると判定された場合には、前記有効開始日、有効終了日、及び備考等に応じて、例えば、「選曲番号０９６７３８５２の曲は２００３．１２．１６から歌えます」、「選曲番号１０４５９２２３の曲は２００３．０５．０５をもって歌えなくなりました」、「選曲番号１１０８３１００の曲は著作者の意向により歌えなくなりました」、「オーディション期間は２００３．１２．０１から２００４．０２．２８までです」等の文字情報を生成し、前記ＣＲＴコントローラ３６及びビデオミキサ１６を介して、図５、図６、又は図７に示すような告知情報（映像情報）を前記画像表示装置１２に表示する。
【００２６】
図８は、前記中央演算処理装置２６による演奏制限制御を説明するフローチャートであり、所定の周期で繰り返し実行されるものである。以下、この図８を用いて前記中央演算処理装置２８の制御作動を説明する。
【００２７】
先ず、前記選曲情報入力手段５０に対応するステップ（以下、ステップを省略する）ＳＡ１において、カラオケ演奏が所望される演奏曲の選曲情報としての選曲番号が前記操作パネル２４又はリモコン４４により入力される。次に、ＳＡ２において、上述したＳＡ１にて入力された選曲番号が前記ハードディスク３２の曲データベース内に存在するか否かが判断される。このＳＡ２の判断が否定される場合には、それをもって本ルーチンが終了させられるが、ＳＡ２の判断が肯定される場合には、ＳＡ３において、上述したＳＡ１にて入力された選曲番号に対応する有効期間データが前記ハードディスク３２の有効期間データベース（演奏許可テーブル）から読み出される。次に、ＳＡ４において、その時点での日付が上述したＳＡ１にて入力された選曲番号に対応する有効期間データに定められた有効期間の範囲内であるか否かが判断される。このＳＡ４の判断が肯定される場合には、ＳＡ５において、その選曲番号に対応する演奏曲の演奏処理が実行されるが、ＳＡ４の判断が否定される場合には、ＳＡ６において、その時点での日付が上述したＳＡ１にて入力された選曲番号に対応する有効期間データに定められた有効開始日以前であるか否かが判断される。このＳＡ６の判断が肯定される場合は、ＳＡ７において、その選曲番号に対応する有効期間データに応じて、前述した図５に示すような告知情報（映像情報）が前記画像表示装置１２に表示され、前記出力禁止手段５４に対応するＳＡ９において、その選曲番号に対応する演奏曲の再生が禁止された後、本ルーチンが終了させられるが、ＳＡ６の判断が否定される場合、すなわちその時点での日付が上述したＳＡ１にて入力された選曲番号に対応する有効期間データに定められた有効終了日以降であると判断される場合には、ＳＡ８において、その選曲番号に対応する有効期間データに応じて、図６に示すような「選曲番号１０４５９２２３の曲は２００３．０５．０５をもって歌えなくなりました」等の有効終了日について説明する文字情報を含むものや、図７に示すような有効終了日及び備考に関する文字情報を含むもの、或いは「オーディション期間は２００３．１２．０１から２００４．０２．２８までです」等の有効開始日、有効終了日、及び備考を組み合わせた文字情報を含む告知情報（映像情報）が前記画像表示装置１２に表示され、前記出力禁止手段５４に対応するＳＡ９において、その選曲番号に対応する演奏曲の再生が禁止された後、本ルーチンが終了させられる。以上のＳＡ４及びＳＡ６が前記有効期間判定手段５２に、ＳＡ７及びＳＡ８が前記告知情報表示手段５６にそれぞれ対応する。
【００２８】
このように、本実施例によれば、前記演奏曲の出力が許容される予め設定された有効期間を表す有効期間情報を記憶する記憶手段である前記ハードディスク３２と、選択入力された所定の演奏曲が前記有効期間外であるか否かを前記ハードディスク３２の有効期間データベースに記憶された有効期間情報に基づいて判定する有効期間判定手段５２（ＳＡ４及びＳＡ６）と、その有効期間判定手段５２により前記演奏曲が前記有効期間外であると判定された場合には、前記ハードディスク３２に記憶された有効期間情報に基づく告知情報を表示する告知情報表示手段５６（ＳＡ７及びＳＡ８）と、前記有効期間判定手段５２により前記演奏曲が前記有効期間外であると判定された場合には、その演奏曲の出力を禁止する出力禁止手段５４（ＳＡ９）とを、含むことから、前記告知情報により再生制限に関する情報を利用者に知らせることができ、その再生制限に際して利用者に精神的なストレスを与えないカラオケ装置１０を提供することができる。
【００２９】
また、前記有効期間情報は、前記有効期間の開始年月日を定める有効開始日と、その有効期間の終了年月日を定める有効終了日と、その有効期間に関する備考とを、含むものであり、前記告知情報表示手段５６は、前記有効開始日、有効終了日、及び備考のうち少なくとも１つを含む告知情報を表示するものであるため、前記告知情報により再生制限に関する更に詳しい情報を利用者に知らせることができるという利点がある。また、前記有効開始日以前である場合に、前記告知情報によりその有効開始日を告知することで利用者に期待の念を抱かせることができ、前記カラオケ装置１０の利用拡大に繋がるという利点がある。
【００３０】
また、前記有効期間情報は、前記演奏曲の内容である音楽情報及び歌詞情報と共にその演奏曲の曲情報に含まれるものであるため、前記演奏曲の出力に際して前記有効期間情報が漏れなく読み出されることで、前記有効期間外である演奏曲の出力を更に確実に禁止できるという利点がある。
【００３１】
続いて、本発明の他の実施例を図面に基づいて詳細に説明する。なお、以下の説明に用いる図面に関して、前述した実施例と重複する部分については同一の符号を付してその説明を省略する。
【００３２】
図９は、前記カラオケ装置１０に備えられた中央演算処理装置２６の演奏制限機能の他の一例を説明する機能ブロック線図であり、前述した図４に対応するものである。本実施例では、前記有効期間情報は、曲情報とは独立のものとして前記ハードディスク３２の有効期間データベースに格納されている。また、選曲番号毎に演奏曲の曲名を格納する曲名データベースが設けられている。前記有効期間情報及び演奏曲の曲名を表す曲名情報は、前記曲情報と同様に前記ホストサーバ４７から逐次配信される。それらの情報の配信は同時であってもよいし、別々に配信されても構わない。
【００３３】
有効期間情報有無判定手段５８は、前記有効期間情報が記憶装置である前記ハードディスク３２に記憶されているか否かを判定する。すなわち、前記ハードディスク３２の有効期間データベース内に所定の演奏曲に対応する有効期間情報が存在するか否かを判定する。また、出力禁止手段５４は、その有効期間情報有無判定手段５８により前記ハードディスク３２の有効期間データベース内に上記演奏曲に対応する有効期間情報が存在しないと判定された場合には、その演奏曲の出力を禁止する。
【００３４】
図１０は、前記中央演算処理装置２６による演奏制限制御を説明するフローチャートであり、前述した図８に対応するものである。この図１０に示すＳＢ１、ＳＢ２乃至ＳＢ６、及びＳＢ９は、前述した図８に示すＳＡ１、ＳＡ２乃至ＳＡ６、及びＳＡ９と同様の制御であることから説明を省略する。本ルーチンでは、ＳＢ２の判断が肯定される場合、すなわちＳＢ１にて入力された選曲番号が前記ハードディスク３２の曲データベース内に存在すると判断された場合には、有効期間情報有無判定手段５８に対応するＳＢ１０において、上述したＳＢ１にて入力された選曲番号に対応する有効期間データが前記ハードディスク３２の有効期間データベース内に存在するか否かが判断される。このＳＢ１０の判断が否定される場合には、前記出力禁止手段５４に対応するＳＢ９において、その選曲番号に対応する演奏曲の再生が禁止された後、本ルーチンが終了させられるが、ＳＢ１０の判断が肯定される場合には、ＳＢ３において、上述したＳＢ１にて入力された選曲番号に対応する有効期間データが前記ハードディスク３２の有効期間データベース（演奏許可テーブル）から読み出される。また、ＳＢ６の判断が肯定される場合、すなわちその時点での日付が上述したＳＢ１にて入力された選曲番号に対応する有効期間データに定められた有効開始日以前であると判断される場合には、ＳＢ１１において、その選曲番号に対応する有効期間データ及び曲名データに応じて、図１１に示すような曲名を含むメッセージ（告知情報）が前記画像表示装置１２に表示され、前記出力禁止手段５４に対応するＳＢ９において、その選曲番号に対応する演奏曲の再生が禁止された後、本ルーチンが終了させられるが、ＳＢ６の判断が否定される場合、すなわちその時点での日付が上述したＳＢ１にて入力された選曲番号に対応する有効期間データに定められた有効終了日以降であると判断される場合には、ＳＢ１２において、その選曲番号に対応する有効期間データ及び曲名データに応じて、演奏が不可能であることを説明する「選曲番号１０４５９２２３の〈波乗りシンドバッド〉は２００３．０５．０５をもって歌えなくなりました」、「選曲番号１１０８３１００の〈愛しのサリー〉は著作者の意向により歌えなくなりました」等の文字情報を含む告知情報（映像情報）が前記画像表示装置１２に表示され、前記出力禁止手段５４に対応するＳＢ９において、その選曲番号に対応する演奏曲の再生が禁止された後、本ルーチンが終了させられる。
【００３５】
このように、本実施例によれば、前記有効期間情報が記憶装置である前記ハードディスク３２に記憶されているか否かを判定する有効期間情報有無判定手段５８（ＳＢ１０）を含み、その有効期間情報有無判定手段５８により前記ハードディスク３２に有効期間情報が存在しないと判定された場合には、前記出力禁止手段５４（ＳＢ９）によりその演奏曲の出力を禁止するものであるため、前記有効期間情報が前記演奏曲の曲情報に含まれない場合において、有効期間外の演奏曲が誤って演奏されるのを防止できるという利点がある。特に、前記有効期間情報が前記曲情報とは別に所定のホストサーバ４７から配信されて記憶される態様において有効である。
【００３６】
以上、本発明の好適な実施例を図面に基づいて詳細に説明したが、本発明はこれに限定されるものではなく、更に別の態様においても実施される。
【００３７】
例えば、前述の実施例では特に言及していないが、前記有効期間外である所定の演奏曲に関し、カラオケ演奏が行われていない間のＢＧＭ曲としての出力は許容されてもよい。このようにすれば、前記有効開始日以前である場合に、ＢＧＭ曲としての出力を許容することでその曲を宣伝できると共に、前記告知情報によりその有効開始日を告知することで利用者に期待の念を抱かせることができるという利点がある。
【００３８】
また、前述の実施例では、図５に示すような文字情報を含む映像情報であるところの告知情報を前記画像表示装置１２に表示させるものであったが、文字情報（テロップ）のみから成る告知情報を表示させるものであっても構わない。このようにすれば、カラオケ演奏中において選曲操作が実行される場合に歌詞文字情報の表示を妨げることなく、再生制限に関する詳しい情報を利用者に知らせることができるという利点がある。
【００３９】
その他、一々例示はしないが、本発明はその趣旨を逸脱しない範囲内において種々の変更が加えられて実行されるものである。
【図面の簡単な説明】
【図１】本発明が適用された音楽再生装置の一例であるカラオケ装置の構成を示すブロック線図である。
【図２】図１のカラオケ装置に備えられたリモコンの操作部を説明する図である。
【図３】図１のカラオケ装置におけるハードディスクに設けられた曲データベースの内容を説明する図である。
【図４】図１のカラオケ装置に備えられた中央演算処理装置の演奏制限機能の要部を説明する機能ブロック線図である。
【図５】図４の告知情報表示手段により画像表示装置に表示される告知情報の一例を示す図である。
【図６】図４の告知情報表示手段により画像表示装置に表示される告知情報の一例を示す図である。
【図７】図４の告知情報表示手段により画像表示装置に表示される告知情報の一例を示す図である。
【図８】図４の中央演算処理装置による演奏制限制御を説明するフローチャートである。
【図９】図１のカラオケ装置に備えられた中央演算処理装置の演奏制限機能の他の一例を説明する機能ブロック線図である。
【図１０】図９の中央演算処理装置による演奏制限制御を説明するフローチャートである。
【図１１】図９の告知情報表示手段により画像表示装置に表示される告知情報の一例を示す図である。
【符号の説明】
１０：カラオケ装置（音楽再生装置）
３２：ハードディスク（記憶手段）
５２：有効期間判定手段
５４：出力禁止手段
５６：告知情報表示手段
【図１】
2004252210.tif 000003
【図２】
2004252210.tif 000004
【図３】
2004252210.tif 000005
【図４】
2004252210.tif 000006
【図５】
2004252210.tif 000007
【図６】
2004252210.tif 000008
【図７】
2004252210.tif 000009
【図８】
2004252210.tif 000010
【図９】
2004252210.tif 000011
【図１０】
2004252210.tif 000012
【図１１】
2004252210.tif 000013